(57)【要約】【課題】ネットワーク機能を有するプロジェクタ投射システムにおいて、画像信号装置から転送される画像データの画像サイズ（解像度）とプロジェクタに搭載された表示パネルの解像度が異なる場合、プロジェクタ側には必ず解像度変換手段が必要となる。また、前記画像信号装置から前記プロジェクタに対し任意の画像データを転送する際にかかるネットワーク負荷をシステム構成にかかわらず一定にすることを目的とする。【解決手段】プロジェクタ２の表示パネルが持つ解像度を画像信号装置１に通知する通信手段Ｐ２１と、画像表示装置のもつ表示素子に表示された任意の画像データを取得する画像取得手段１１と、画像取得手段１１により取得された前記画像データの解像度を前記通信手段Ｐ２１から通知された解像度情報に基づき所定の解像度に変換する解像度変換手段Ａ１３とから成る。【選択図】図１
2006106158.tif 000002
【特許請求の範囲】
【請求項１】
パソコンに代表される画像信号装置と、前記画像信号装置と任意のネットワーク網で接続されたプロジェクタとからなるネットワーク機能を有するプロジェクタ投射システムにおいて、
前記画像信号装置は、
任意の画像データが格納された画像記憶手段と、
前記画像記憶手段に格納された任意の画像データを読み出す制御手段Ａと、
前記制御手段Ａにより読み出された前記画像データを前記画像信号装置内の表示素子に表示する表示手段Ａと、
前記表示手段Ａにより表示された前記画像データを前記制御手段Ａから制御されるタイミングにより取得する画像取得手段と、
前記画像取得手段により取得された前記画像データの解像度を前記制御手段Ａから制御される解像度に変換する解像度変換手段Ａと、
前記解像度変換手段Ａにより解像度変換された前記画像データを入力とすると共に前記制御手段Ａからの制御信号により任意のネットワーク網に接続可能とする通信手段Ａと、
から構成され、
前記プロジェクタは、
前記画像信号装置の通信手段Ａと前記ネットワーク網で接続可能とし、前記解像度変換手段Ａから出力された前記画像データを前記通信手段Ａから前記ネットワーク網を介して入力される通信手段Ｐと、
前記通信手段Ｐから出力された前記画像データを前記プロジェクタ上に表示可能となるフォーマットに展開する画像展開手段と、
前記通信手段Ｐから出力される前記画像データを一時的に格納すると共に前記画像展開手段によりアクセスされる記憶素子Ｐと、
前記画像展開手段により任意のフォーマットに展開された前記画像データを入力とし前記プロジェクタ上にその画像データを表示可能とする表示手段Ｐと、
前記通信手段Ｐ及び前記画像展開手段及び前記表示手段Ｐを各々制御する制御手段Ｐと、
から構成され、
前記通信手段Ａ及び前記通信手段Ｐにより前記ネットワーク上で接続された時に、前記プロジェクタから前記プロジェクタの表示解像度を前記画像信号装置に通知し、その通知信号を受信した前記画像信号装置は前記解像度変換手段Ａから出力される画像データの解像度を前記プロジェクタの表示解像度と同一になるように変換する手段を備えたことを特徴とするネットワーク機能を有するプロジェクタ投射システム。
【請求項２】
前記画像信号装置は、
任意の画像データが格納された画像記憶手段と、
前記画像記憶手段に格納された任意の画像データを読み出し、その画像データを前記画像信号装置内の表示素子に直線や楕円の描画或いはビットマップデータやフォントデータの表示をさせるために必要となる２Ｄグラフィックス処理命令に代表される描画命令を出力する制御手段Ｂと、
前記制御手段Ｂにより出力された描画命令を前記プロジェクタから通知された前記プロジェクタの表示解像度の範囲内で実行する描画命令実行手段と、
前記描画命令実行手段により描画された前記画像データを前記画像信号装置内の表示素子に表示する表示手段Ａと、
前記表示手段Ａにより表示された画像データを前記制御手段Ｂから制御されるタイミングにより取得する画像取得手段と、
前記画像取得手段により取得された前記画像データを入力とすると共に前記制御手段Ｂからの制御信号により前記ネットワーク網に接続可能とする通信手段Ａと、
を備えたことを特徴とする請求項１記載のネットワーク機能を有するプロジェクタ投射システム。
【請求項３】
前記画像信号装置が任意の画像データを表示可能となる画像解像度と前記プロジェクタにある前記表示手段Ｐが表示可能とする画像解像度のアスペクト比が異なる場合では、前記プロジェクタは、
前記画像信号装置の通信手段Ａと前記ネットワーク網を介して接続可能とし、前記画像信号装置から転送された前記画像データを前記通信手段Ａ及び前記ネットワーク網を介して入力とする通信手段Ｐと、
前記通信手段Ｐが受信した前記画像データを前記プロジェクタ上に表示可能となるフォーマットに展開する画像展開手段と、
前記通信手段Ｐから出力される前記画像データを一時的に格納すると共に前記画像展開手段によりアクセスされる記憶素子Ｐと、
前記画像展開手段により任意のフォーマットに展開された前記画像データに任意の画像データを重畳し前記表示手段Ｐにその重畳した画像データを出力する画像重畳手段と、
前記画像展開手段から出力される前記画像データを一時的に格納すると共に前記画像重畳手段により重畳される画像データを記憶し前記画像重畳手段によりアクセスされる記憶素子Ｒと、
前記画像重畳手段から出力された前記画像データを入力とし前記プロジェクタ上にその画像データを表示可能とする表示手段Ｐと、
前記通信手段Ｐ及び前記画像展開手段及び前記表示手段Ｐを各々制御し、更に前記画像重畳手段に対して前記画像展開手段により任意のフォーマットに展開された前記画像データに前記記憶素子Ｒに格納された任意の画像データを重畳する方法を制御する制御手段Ｒと、
を備えたことを特徴とする請求項１もしくは請求項２記載のネットワーク機能を有するプロジェクタ投射システム。
【請求項４】
前記プロジェクタは、
角度センサに代表される仰角検出手段を更に備え、
前記仰角検出手段により検出された前記プロジェクタから投射される画像データの仰角を前記画像信号装置に前記ネットワーク網を介して通知することにより、前記画像信号装置から前記プロジェクタへ転送される画像データは前記プロジェクタから投射される画像の歪みを無くすように解像度変換が前記画像信号装置内で行われることを特徴とする請求項１から請求項３記載のネットワーク機能を有するプロジェクタ投射システム。
【請求項５】
前記プロジェクタは、
前記ネットワーク網に接続するために必要となる前記通信手段Ｐ及び制御手段Ｕのみに電源を供給する電源供給手段Ａと、
前記電源供給手段Ａにより電源が供給されない前記プロジェクタ内の構成要素に電源を供給する電源供給手段Ｂと、
前記電源供給手段Ｂに対して電源供給或いは電源遮断の制御を行う前記制御手段Ｕとから構成され、
前記制御手段Ｕは前記電源供給手段Ｂに対して電源供給制御を行う前に前記画像信号装置と接続した時に、前記画像信号装置に対して通信停止を前記通信手段Ｐを介して通知し、その後に前記電源供給手段Ｂに対して前記プロジェクタ内の所定の構成要素に対して電源供給するように制御を行い、前記プロジェクタ内の所定の構成要素に安定して電源供給が行われた後に前記画像信号装置に対して通信再開を前記通信手段Ｐを介して通知する手段を備えたことを特徴とする請求項１から請求項４記載のネットワーク機能を有するプロジェクタ投射システム。
【請求項６】
前記ネットワーク網はイーサネット（登録商標）で接続されたＬＡＮにより構成される請求項１から請求項５記載のネットワーク機能を有するプロジェクタ投射システム。
【請求項７】
前記ネットワーク網はＵＳＢにより構成される請求項１から請求項５記載のネットワーク機能を有するプロジェクタ投射システム。
【請求項８】
前記プロジェクタは、アナログＲＧＢ入力端子を備えずに前記ネットワーク網に接続する手段を備えることを特徴とする請求項１から請求項７記載のネットワーク機能を有するプロジェクタ投射システム。
【発明の詳細な説明】
【技術分野】
【０００１】
本発明は、液晶プロジェクタやＤＬＰプロジェクタに代表される固定画素の表示パネルを有するプロジェクタとパソコンに代表される画像信号装置を任意のネットワーク網により接続したネットワーク機能を有するプロジェクタ投射システムに関するものである。
【背景技術】
【０００２】
近年、ＲＧＢケーブルを使用せずに、ＬＡＮに代表されるネットワーク網を使用してパソコン上に表示された画像をプロジェクタに転送し投射可能とするネットワーク機能を有するプロジェクタ投射システムが急速に広まっている。
【０００３】
以下に従来のネットワーク機能を有するプロジェクタ投射システムについて説明する。
【０００４】
従来、ネットワーク機能を有するプロジェクタ投射システムは、特許文献１に記載されたものが知られている。そのネットワーク機能を有するプロジェクタ投射システムを図１４に示す。図１４は、従来のネットワーク機能を有するプロジェクタ投射システムの構成図を示すものである。図１４で、１００はパソコンに代表される画像信号装置、２００はプロジェクタ、３００は任意のネットワーク網、４００は画像信号装置１００からネットワーク網３００を経由して転送された画像データを補正する画像補正装置である。また、４０１は画像信号装置１００とネットワーク通信を行うための通信手段Ｚ、４０２は通信手段Ｚ４０１が受信した画像データを補正する画像処理手段、４０３は画像処理手段４０２によりアクセスされる記憶素子Ｚ、４０４は画像処理手段４０２により補正された画像データをプロジェクタ２００に対して出力する画像出力手段、４０５は通信手段Ｚ４０１及び画像処理手段４０２及び画像出力手段４０４を各々制御する制御手段Ｚ、４０６は画像処理手段４０２では前記画像データを補正する補正方法の決定条件を制御手段Ｚ４００に対して入力する外部操作信号である。
【０００５】
以上のように構成された従来のネットワーク機能を有するプロジェクタ投射システムについて、以下その動作について図１５を用いて説明する。
【０００６】
まず、ネットワーク機能を有するプロジェクタ投射システムを使用する操作者がプロジェクタ２００から任意の画像をスクリーン５００上に投射する。プロジェクタ２００とスクリーン５００が正対して設置されていない場合、図１５に示すようにプロジェクタ２００から投射された画像は矩形にはならない。そこで、操作者はプロジェクタ２００とスクリーン５００との間の設置条件をリモコンなどの外部入力装置を使用して、外部操作信号４０６として画像補正装置４００に入力する。ここで、設置条件としては、プロジェクタ２００とスクリーン５００との間の投射距離Ｄや投射角度θなどがある。
【０００７】
このように設置条件が画像補正装置４００に入力された後、画像信号装置１００から任意のネットワーク網３００を介して通信手段Ｚ４０１に所望の画像データが転送される。前記画像データを受信した通信手段Ｚ４０１は、その画像データを画像処理手段４０２に転送する。画像処理手段４０２はその画像データを一旦記憶素子Ｚ４０３に格納し、制御手段Ｚ４０５からの制御信号によりプロジェクタ２００から投射される画像がスクリーン５００上で矩形となるように前記記憶素子Ｚ４０３に格納された画像データを補正する。その補正された画像データは画像出力手段４０４に転送され、プロジェクタ２００へ入力される。
【０００８】
このように画像補正装置４００で補正された画像データをプロジェクタ２００に入力することでプロジェクタ２００からスクリーン５００に投射される画像は矩形となる。
【特許文献１】特開２００２−１０８３２２号公報（段落番号「００１９」−「００３７」）
【発明の開示】
【発明が解決しようとする課題】
【０００９】
しかしながら上記従来の構成では、画像信号装置から転送される画像データの画像サイズ（解像度）とプロジェクタに搭載された表示パネルの解像度が異なる場合、前記プロジェクタに内蔵された解像度変換手段を通して解像度変換を行わねばならないため、プロジェクタ側には必ず解像度変換手段が必要となるという問題点を有していた。
【００１０】
液晶プロジェクタやＤＬＰプロジェクタは、液晶パネル或いはＤＬＰパネルといった表示パネル上に表示された画像データをランプにより照射することで任意のスクリーン上に前記画像データを拡大投射するが、前記表示パネルの画素数は固定のため、プロジェクタから投射される画像の解像度は前記表示パネルの解像度に依存する。このため、プロジェクタに搭載された表示パネルの持つ解像度と異なる解像度を有する画像データをプロジェクタから投射する場合は、前記のような解像度変換が必要となる。例えば、プロジェクタに搭載された表示パネルの解像度がＸＧＡ（１０２４画素×７６８画素）である時に画像データとしてＵＸＧＡ（１６００画素×１２００画素）の解像度を有するものを前記プロジェクタから投射する場合、前記解像度変換回路は、
水平方向：１０２４／１６００＝０．６４
垂直方向：７６８／１２００＝０．６４
と水平及び垂直方向に各々０．６４倍となるように前記ＵＸＧＡの解像度を持つ画像データを縮小する。解像度変換の方法として最近傍補間方法やバイリニア補間方法、バイキュービック補間方法等が一般に知られている。
【００１１】
本発明は上記従来の問題点を解決するもので、画像信号装置から転送される画像データの解像度数とプロジェクタに内蔵される表示パネルの解像度数が異なる場合にも、前記解像度変換手段を前記プロジェクタ側に必要としないネットワーク機能を有するプロジェクタ投射システムを提供することを目的とする。
【課題を解決するための手段】
【００１２】
本発明の請求項１に記載の発明は、パソコンに代表される画像信号装置と、前記画像信号装置と任意のネットワーク網で接続されたプロジェクタとからなるネットワーク機能を有するプロジェクタ投射システムにおいて、
前記画像信号装置は、
任意の画像データが格納された画像記憶手段と、
前記画像記憶手段に格納された任意の画像データを読み出す制御手段Ａと、
前記制御手段Ａにより読み出された前記画像データを前記画像信号装置内の表示素子に表示する表示手段Ａと、
前記表示手段Ａにより表示された前記画像データを前記制御手段Ａから制御されるタイミングにより取得する画像取得手段と、
前記画像取得手段により取得された前記画像データの解像度を前記制御手段Ａから制御される解像度に変換する解像度変換手段Ａと、
前記解像度変換手段Ａにより解像度変換された前記画像データを入力とすると共に前記制御手段Ａからの制御信号により任意のネットワーク網に接続可能とする通信手段Ａとから構成され、
前記プロジェクタは、
前記画像信号装置の通信手段Ａと前記ネットワーク網で接続可能とし、前記解像度変換手段Ａから出力された前記画像データを前記通信手段Ａから前記ネットワーク網を介して入力される通信手段Ｐと、
前記通信手段Ｐから出力された前記画像データを前記プロジェクタ上に表示可能となるフォーマットに展開する画像展開手段と、
前記通信手段Ｐから出力される前記画像データを一時的に格納すると共に前記画像展開手段によりアクセスされる記憶素子Ｐと、
前記画像展開手段により任意のフォーマットに展開された前記画像データを入力とし前記プロジェクタ上にその画像データを表示可能とする表示手段Ｐと、
前記通信手段Ｐ及び前記画像展開手段及び前記表示手段Ｐを各々制御する制御手段Ｐとから構成され、
前記通信手段Ａ及び前記通信手段Ｐにより前記ネットワーク上で接続された時に、前記プロジェクタから前記プロジェクタの表示解像度を前記画像信号装置に通知し、その通知信号を受信した前記画像信号装置は前記解像度変換手段Ａから出力される画像データの解像度を前記プロジェクタの表示解像度と同一になるように変換する手段を備えたことを特徴とするネットワーク機能を有するプロジェクタ投射システムとしたものであり、
前記画像信号装置上に表示される画像データの画像サイズ（解像度）と前記プロジェクタに搭載される表示パネルの解像度が異なる場合にも、解像度変換手段を前記プロジェクタ側に必要とせずに低コストでネットワーク機能を有するプロジェクタ投射システムを提供する作用を有する。
【００１３】
請求項２に記載の発明は、前記画像信号装置は、
任意の画像データが格納された画像記憶手段と、
前記画像記憶手段に格納された任意の画像データを読み出し、その画像データを前記画像信号装置内の表示素子に直線や楕円の描画或いはビットマップデータやフォントデータの表示をさせるために必要となる２Ｄグラフィックス処理命令に代表される描画命令を出力する制御手段Ｂと、
前記制御手段Ｂにより出力された描画命令を前記プロジェクタから通知された前記プロジェクタの表示解像度の範囲内で実行する描画命令実行手段と、
前記描画命令実行手段により描画された前記画像データを前記画像信号装置内の表示素子に表示する表示手段Ａと、
前記表示手段Ａにより表示された画像データを前記制御手段Ｂから制御されるタイミングにより取得する画像取得手段と、
前記画像取得手段により取得された前記画像データを入力とすると共に前記制御手段Ｂからの制御信号により前記ネットワーク網に接続可能とする通信手段Ａと、
を備えたことを特徴とする請求項１記載のネットワーク機能を有するプロジェクタ投射システムとしたものであり、
前記画像信号装置上に表示される画像データの画像サイズ（解像度）と前記プロジェクタに搭載される表示パネルの解像度が異なる場合にも、解像度変換手段を前記プロジェクタ側に必要とせずに低コストでネットワーク機能を有するプロジェクタ投射システムを提供する作用を有する。
【００１４】
請求項３に記載の発明は、前記画像信号装置が任意の画像データを表示可能となる画像解像度と前記プロジェクタにある前記表示手段Ｐが表示可能とする画像解像度のアスペクト比が異なる場合では、前記プロジェクタは、
前記画像信号装置の通信手段Ａと前記ネットワーク網を介して接続可能とし、前記画像信号装置から転送された前記画像データを前記通信手段Ａ及び前記ネットワーク網を介して入力とする通信手段Ｐと、
前記通信手段Ｐが受信した前記画像データを前記プロジェクタ上に表示可能となるフォーマットに展開する画像展開手段と、
前記通信手段Ｐから出力される前記画像データを一時的に格納すると共に前記画像展開手段によりアクセスされる記憶素子Ｐと、
前記画像展開手段により任意のフォーマットに展開された前記画像データに任意の画像データを重畳し前記表示手段Ｐにその重畳した画像データを出力する画像重畳手段と、
前記画像展開手段から出力される前記画像データを一時的に格納すると共に前記画像重畳手段により重畳される画像データを記憶し前記画像重畳手段によりアクセスされる記憶素子Ｒと、
前記画像重畳手段から出力された前記画像データを入力とし前記プロジェクタ上にその画像データを表示可能とする表示手段Ｐと、
前記通信手段Ｐ及び前記画像展開手段及び前記表示手段Ｐを各々制御し、更に前記画像重畳手段に対して前記画像展開手段により任意のフォーマットに展開された前記画像データに前記記憶素子Ｒに格納された任意の画像データを重畳する方法を制御する制御手段Ｒと、
を備えたことを特徴とする請求項１もしくは請求項２記載のネットワーク機能を有するプロジェクタ投射システムとしたものであり、
前記画像信号装置上に表示される画像データの画像サイズ（解像度）と前記プロジェクタに搭載される表示パネルのアスペクト比が異なる場合にも、解像度変換手段を前記プロジェクタ側に必要とせずに低コストでネットワーク機能を有するプロジェクタ投射システムを提供すると共に、前記プロジェクタ側から投射される画像データのアスペクト比を前記画像信号装置上に表示された画像データのアスペクト比に合わせることを可能とする作用を有する。
【００１５】
請求項４に記載の発明は、前記プロジェクタは、
角度センサに代表される仰角検出手段を更に備え、
前記仰角検出手段により検出された前記プロジェクタから投射される画像データの仰角を前記画像信号装置に前記ネットワーク網を介して通知することにより、前記画像信号装置から前記プロジェクタへ転送される画像データは前記プロジェクタから投射される画像の歪みを無くすように解像度変換が前記画像信号装置内で行われることを特徴とする請求項１から請求項３記載のネットワーク機能を有するプロジェクタ投射システムとしたものであり、
前記画像信号装置上に表示される画像データの画像サイズ（解像度）と前記プロジェクタに搭載される表示パネルの解像度が異なる場合にも、解像度変換手段を前記プロジェクタ側に必要とせずに低コストでネットワーク機能を有するプロジェクタ投射システムを提供すると共に、前記プロジェクタから投射される画像データの幾何学的歪みを自動的に解消する作用を有する。
【００１６】
請求項５に記載の発明は、前記プロジェクタは、
前記ネットワーク網に接続するために必要となる前記通信手段Ｐ及び制御手段Ｕのみに電源を供給する電源供給手段Ａと、
前記電源供給手段Ａにより電源が供給されない前記プロジェクタ内の構成要素に電源を供給する電源供給手段Ｂと、
前記電源供給手段Ｂに対して電源供給或いは電源遮断の制御を行う前記制御手段Ｕとから構成され、
前記制御手段Ｕは前記電源供給手段Ｂに対して電源供給制御を行う前に前記画像信号装置と接続した時に、前記画像信号装置に対して通信停止を前記通信手段Ｐを介して通知し、その後に前記電源供給手段Ｂに対して前記プロジェクタ内の所定の構成要素に対して電源供給するように制御を行い、前記プロジェクタ内の所定の構成要素に安定して電源供給が行われた後に前記画像信号装置に対して通信再開を前記通信手段Ｐを介して通知する手段を備えたことを特徴とする請求項１から請求項４記載のネットワーク機能を有するプロジェクタ投射システムとしたものであり、
前記画像信号装置上に表示される画像データの画像サイズ（解像度）と前記プロジェクタに搭載される表示パネルの解像度が異なる場合にも、解像度変換手段を前記プロジェクタ側に必要とせずに低コストでネットワーク機能を有するプロジェクタ投射システムを提供すると共に、前記画像信号装置と前記プロジェクタ間の通信では、前記電源供給手段Ｂから電源供給をする際に発生するノイズの影響により生じる通信の誤動作を防ぐ作用を有する。
【００１７】
請求項６に記載の発明は、前記ネットワーク網はイーサネット（登録商標）で接続されたＬＡＮにより構成される請求項１から請求項５記載のネットワーク機能を有するプロジェクタ投射システムとしたものであり、
前記画像信号装置上に表示される画像データの画像サイズ（解像度）と前記プロジェクタに搭載される表示パネルの解像度が異なる場合にも、解像度変換手段を前記プロジェクタ側に必要とせずに低コストでネットワーク機能を有するプロジェクタ投射システムを提供する作用を有する。
【００１８】
請求項７に記載の発明は、前記ネットワーク網はＵＳＢにより構成される請求項１から請求項５記載のネットワーク機能を有するプロジェクタ投射システムとしたものであり、
前記画像信号装置上に表示される画像データの画像サイズ（解像度）と前記プロジェクタに搭載される表示パネルの解像度が異なる場合にも、解像度変換手段を前記プロジェクタ側に必要とせずに低コストでネットワーク機能を有するプロジェクタ投射システムを提供する作用を有する。
【００１９】
請求項８に記載の発明は、前記プロジェクタは、アナログＲＧＢ入力端子を備えずに前記ネットワーク網に接続する手段を備えることを特徴とする請求項１から請求項７記載のネットワーク機能を有するプロジェクタ投射システムとしたものであり、
前記画像信号装置上に表示される画像データの画像サイズ（解像度）と前記プロジェクタに搭載される表示パネルの解像度が異なる場合にも、解像度変換手段を前記プロジェクタ側に必要とせずに低コストでネットワーク機能を有するプロジェクタ投射システムを提供する作用を有する。
【発明の効果】
【００２０】
以上のように本発明は、パソコンに代表される画像信号装置と、前記画像信号装置と任意のネットワーク網で接続されたプロジェクタとからなるネットワーク機能を有するプロジェクタ投射システムにおいて、前記画像信号装置上に表示される画像データの画像サイズ（解像度）と前記プロジェクタに搭載される表示パネルの解像度が異なる場合にも、解像度変換手段を前記プロジェクタ側に必要とせずに低コストでネットワーク機能を有するプロジェクタ投射システムを提供するという優れた効果が得られる。
【００２１】
また、前記画像信号装置から前記プロジェクタに転送される画像データがもつ解像度は常に前記プロジェクタの解像度数であるため、前記画像信号装置上に表示される画像データの解像度が非常に高くても、前記ネットワーク網を介して転送する画像データ量は一定となり、前記ネットワーク網のネットワーク負荷が不必要に重くなることを容易に回避可能となるという優れた効果が得られる。
【発明を実施するための最良の形態】
【００２２】
以下、本発明の実施の形態について、図１から図１３を用いて説明する。
【００２３】
（実施の形態１）
図１は本発明のネットワーク機能を有するプロジェクタ投射システムの構成図である。
図１で、１はパソコンに代表される画像信号装置、２は液晶プロジェクタやＤＬＰプロジェクタに代表されるプロジェクタ、３は画像信号装置１とプロジェクタ２をイーサネット（登録商標）等で接続するネットワーク網とから構成される。
【００２４】
また、画像信号装置１では、１４は静止画像や動画像或いはこれらの画像データをＪＰＥＧ形式やＭＰＥＧ形式といった任意の圧縮フォーマットで格納するハードディスク或いはメモリーカードに代表される画像記憶手段、１２は画像記憶手段１４に格納された前記画像データを読み出す制御手段Ａ、１０は制御手段Ａ１２により読み出された前記画像データを画像信号装置１内のＣＲＴや液晶パネルといった表示素子に表示する表示手段Ａ、１１は表示手段Ａ１０により表示された前記画像データを制御手段Ａ１２から制御されるタイミングにより取得する画像取得手段、１３は画像取得手段１１により取得された前記画像データの解像度を制御手段Ａ１２により制御される解像度に変換する解像度変換手段Ａ、１５は解像度変換手段Ａ１３により解像度変換された前記画像データを入力とすると共に制御手段Ａ１２からの制御により任意のネットワーク網３に接続可能とする通信手段Ａである。
【００２５】
更に、プロジェクタ２では、２１は画像信号装置１の通信手段Ａ１５とネットワーク網３を介して接続され解像度変換手段Ａ１３から出力された前記画像データを通信手段Ａ１５からネットワーク網を介して入力とする通信手段Ｐ、２２は通信手段Ｐ２１が受信した前記画像データをプロジェクタ２上の表示パネルに表示可能なフォーマットに展開する画像展開手段、２３は通信手段Ｐ２１から出力される前記画像データを一時的に格納すると共に画像展開手段２２によりアクセスされる記憶素子Ｐ、２４は画像展開手段２２で展開された前記画像データを入力としプロジェクタ２上の表示パネルにその画像データを表示可能とする表示手段Ｐ、２０は通信手段Ｐ２１及び画像展開手段２２及び表示手段Ｐ２４を各々制御する制御手段Ｐである。
【００２６】
以上のように構成されたネットワーク機能を有するプロジェクタ投射システムについて、図２の動作フローチャートを用いてその動作を説明する。
【００２７】
まず、任意のネットワーク網３上で画像信号装置１とプロジェクタ２を接続する（ステップＳ１）。この接続方法としては、例えばネットワーク網３としてイーサネット（登録商標）を使用している場合、画像信号装置１とプロジェクタ２に同一グループの固定ＩＰアドレスを事前に与えておくことで可能となる。その一例を以下に示す。
【００２８】
画像信号装置１側の設定
ＩＰ：１９２．１６８．１６．１
サブネットマスク：２５５．２５５．２５５．０
プロジェクタ２側の設定
ＩＰ：１９２．１６８．１６．１００
サブネットマスク：２５５．２５５．２５５．０
また、画像信号装置１或いはプロジェクタ２のいずれかがＤＨＣＰサーバとなり、所望の相手にＩＰアドレスを割り振る方法でも接続は可能となる。また、ネットワーク網３としてＵＳＢケーブルを使用して、画像信号装置１とプロジェクタ２を１対１で接続しても良い。この場合は、ＩＰアドレスの設定などは不要となる。また、ネットワーク網３としてイーサネット（登録商標）或いはＵＳＢを使用したいずれの場合も、画像信号装置１或いはプロジェクタ２は、そのネットワーク網３に接続（参加）した瞬間を認識可能となる。これは、イーサネット（登録商標）の場合であれば、イーサネット（登録商標）コントロールＩＣが常にネットワーク網３上の信号をウォッチしているため、その信号を取得した時点で、そのネットワーク網３に接続するための通信レート（１００Ｂａｓｅあるいは１０Ｂａｓｅ、全２重通信なのか半２重通信か）を判断し、その結果に基づいて前記ネットワーク網３に参加する。一方、ＵＳＢの場合はプラグアンドプレイ機能により、相手側と接続した瞬間を認識できる。
【００２９】
このようにしてステップＳ１により画像信号装置１とプロジェクタ２が接続された後、プロジェクタ２の制御手段Ｐ２０はプロジェクタ２に搭載された表示パネルの解像度を通信手段Ｐ２１からネットワーク網３を介して画像信号装置１に通知する（ステップＳ２）。ここで、表示パネルとは固定表示画素を持つ液晶パネルやＤＬＰパネルを指す。また、通知する解像度の例としては、
ＸＧＡ（１０２４画素×７６８画素）
ＳＶＧＡ（８００画素×６００画素）
が挙げられる。ステップＳ１では、プロジェクタ２は画像信号装置１と接続された瞬間を検知可能となるため、ステップＳ１を実行後、自動的にステップＳ２に自動的に移行することが可能である。また、ステップＳ１からステップＳ２に移行する前に、画像信号装置１からプロジェクタ２に対し、プロジェクタ２に搭載された表示パネルの解像度の通知要求をしてもよい。このように、ステップＳ２により送信されたプロジェクタ２に搭載された表示パネルの解像度情報を受信した画像信号装置１の通信手段Ａ１５は、その情報を制御手段Ａ１２に送信する。
【００３０】
次に、画像信号装置１上に任意の画像データを表示させるため、制御手段Ａ１２は、画像記憶手段１４に格納された所望の画像データを読み出し、表示手段Ａ１０に前記画像データを出力する。ここで、画像記憶手段１４に格納された所望の画像データがＪＰＥＧ形式やＭＰＥＧ形式等で圧縮されている場合、制御手段Ａ１２で伸張した後に表示手段Ａ１０にその伸張した画像データを出力する。表示手段Ａ１０に入力された前記画像データは、表示手段Ａ１０により画像信号装置１がもつ表示素子上に表示される。この表示手段Ａ１０により表示された前記画像データは、プリントスクリーン機能に代表される画像取得方法により制御手段Ａ１２から制御されるタイミングで画像取得手段１１により取得される（ステップＳ３）。このようにして取得された前記画像データは、解像度変換手段Ａ１３に入力され解像度変換される（ステップＳ４）。
【００３１】
ここで、ステップＳ４における解像度変換方法の一例を述べる。プロジェクタ２の表示パネルがもつ解像度がＸＧＡ（１０２４画素×７６８画素）であり、画像信号装置１の表示素子がもつ解像度がＵＸＧＡ（１６００画素×１２００画素）である場合、プロジェクタ２の表示パネルがもつ解像度（ＸＧＡ）を認識した制御手段Ａ１２は、画像信号装置１の表示素子の解像度がＵＸＧＡであることより、
水平方向：１０２４／１６００＝０．６４
垂直方向：７６８／１２００＝０．６４
という解像度変換を行うように解像度変換手段Ａ１３を制御する。もちろん、プロジェクタ２の表示パネルがもつ解像度と画像信号装置１の表示素子がもつ解像度が同一の場合は、解像度変換は行わない。一般的にこのような解像度変換は、ソフトウェアで処理を行うが、近年、パソコンのＣＰＵ処理性能は飛躍的に上昇しているため、このような解像度変換をソフトウェア処理で行っても、大きなＣＰＵ負荷にはならない。解像度変換方法としては、一般に最近傍補間方法やバイリニア補間方法、バイキュービック補間方法等が知られている。
【００３２】
ステップＳ４では解像度変換された前記画像データは、通信手段Ａ１５に出力され、ネットワーク網３を介してプロジェクタ２に内蔵された通信手段Ｐ２１へ転送される（ステップＳ５）。ステップＳ５により転送される画像データの解像度は、ステップＳ４により常にプロジェクタ２に搭載された表示パネルの解像度になるため、画像信号装置１に搭載された表示素子の解像度数に関わらず、ネットワーク網３を介して転送される前記画像データの情報量は一定となる。近年、パソコンに代表される画像信号装置１の表示素子に表示される画像データの解像度はＣＲＴ或いは液晶パネルの高精細度化により、ＵＸＧＡやＳＸＧＡ＋（１４００画素×１０５０画素）といった高解像度数での表示に対し、プロジェクタ用の表示パネルはＸＧＡ或いはＳＶＧＡ（８００画素×６００画素）の解像度数のものが主流であり、画像信号装置１での表示解像度数の方はプロジェクタ２がもつ表示パネルの解像度数より高いことが一般的である。これより、画像信号装置１で解像度変換した方が転送する画像データの情報量に比例して通信負荷が大きくなるネットワーク負荷の点から見た場合、本実施の形態は従来例に対し有利となる。
【００３３】
ステップＳ５により転送された画像データは、画像展開手段２２に出力され、一旦、記憶素子Ｐ２３に格納される。この記憶素子Ｐ２３に格納された前記画像データは画像展開手段２２により、プロジェクタ２の表示パネルに表示可能となるフォーマット形式に変換される（ステップＳ６）。一般的に、ネットワーク網３のネットワーク負荷を低減するため、ステップＳ５で転送される画像データはＪＰＥＧ形式やＭＰＥＧ形式などの圧縮フォーマットでデータ容量を縮小して転送される。そのため、ステップＳ６で一旦、その圧縮された画像データを記憶素子Ｐ２３に格納し、その後、画像展開手段２２によりプロジェクタ２の表示パネルに表示可能となるフォーマット形式に展開し、再度記憶素子Ｐ２３にその展開した画像データを格納する手法を取る。ステップＳ６で展開された前記画像データは、再度格納された記憶素子Ｐ２３から画像展開手段２２により読み出された後、表示手段Ｐ２４に出力され、プロジェクタ２上に表示される（ステップＳ７）。
【００３４】
以上のように本実施の形態によれば、ステップＳ１により画像信号装置１とプロジェクタ２を任意のネットワーク網３に接続した後、プロジェクタ２の制御手段Ｐ２０はプロジェクタ２に搭載された表示パネルの解像度を通信手段Ｐ２１からネットワーク網３を介して画像信号装置１に通知するステップＳ２を備え、更に、ステップＳ３のようにして取得された画像信号装置１上に表示された画像データを解像度変換手段Ａ１３で前記ステップＳ２で得た情報に従い解像度変換する手段を備えることにより、画像信号装置１上に表示される画像データの解像度が非常に高くても、ネットワーク網３を介して転送する画像データの容量はほぼ一定となるため、ネットワーク網３のネットワーク負荷が画像信号装置１上に表示される画像データの解像度数に比例して重くなることを容易に回避可能となる。
【００３５】
また、本実施の形態によれば、画像信号装置１上に表示される画像データの画像サイズ（解像度）とプロジェクタ２がもつ表示パネルの解像度が異なる場合にも、解像度変換手段を前記プロジェクタ側に必要とせずに低コストでネットワーク機能を有するプロジェクタ投射システムの提供が可能となる。この点について、以下、説明を行う。
【００３６】
図３は従来のネットワーク機能を有するプロジェクタの構成図である。尚、前述した図１と同じ構成については同一の符号を用い、説明を省略する。
【００３７】
図３では、２９は任意の画像信号装置から出力されるアナログ画像データ信号等の外部画像信号、２５は外部画像信号２９をディジタル画像データに変換するＡ／Ｄ変換手段、２６は任意のネットワーク網３を介して画像信号装置１と接続し、その画像信号装置１から転送された画像データを前記ネットワーク網を介して受信し、その受信した画像データを画像展開手段２２に転送する通信手段Ｑ、２７はＡ／Ｄ変換手段２５によりディジタル画像データに変換された信号或いは画像展開手段２２から出力された画像データを入力とし、プロジェクタ２に搭載された表示パネルの解像度に合わせて解像度変換し表示手段Ｐ２４にその解像度変換した画像データを出力する解像度変換手段Ｑ、２８はＡ／Ｄ変換手段２５及び解像度変換手段Ｑ２７及び表示手段Ｐ２４及び通信手段Ｑ２６及び画像展開手段２２を各々制御する制御手段Ｑである。
【００３８】
一般的にネットワーク機能を有するプロジェクタは、通信手段Ｑ２６として無線ＬＡＮが搭載されているが、無線ＬＡＮ機能を持たない画像信号装置から出力される任意の画像データを表示させるためにはＤサブ１５ピンケーブルで直接前記画像信号装置から出力されるアナログ映像データに代表される外部画像信号２９をプロジェクタに入力し、その入力された外部画像信号２９をディジタル映像データに変換するＡ／Ｄ変換手段２５が必要となる。この場合、Ａ／Ｄ変換手段２５に入力される外部画像信号２９は画像信号装置により種々の走査周波数及び解像度数を持つため、固定表示画素により構成されるプロジェクタ２の表示パネル上に画像データを表示させるためには必ず後段に解像度変換手段Ｑ２７が必要となる。しかしながら、近年のノートＰＣへの無線ＬＡＮ機能搭載率は飛躍的にあがっており、また、１００Ｂａｓｅ−ＴＸに代表される有線ＬＡＮ機能搭載率はインターネットの普及により１００％である。このような時代背景より、ネットワーク機能を持つプロジェクタでは、Ａ／Ｄ変換手段２５は不要とすることも可能である。また、前述したステップＳ１からステップＳ７の工程を踏襲することにより、ネットワーク網３から転送された画像データの解像度変換をプロジェクタ２で行う必要はなくなるため、解像度変換手段Ｑ２７も不要となる。このＡ／Ｄ変換手段２５及び解像度変換手段Ｑ２７は、画像信号装置上に表示される画像データの高解像度化に伴い、非常に高速なクロックでの動作を要求されるため、高コストのデバイスとなっていた。Ａ／Ｄ変換手段２５及び解像度変換手段Ｑ２７での動作クロックｆｏは、
ｆｏ＝水平解像度数×垂直解像度数×垂直同期信号周波数
と表されるが、ここで垂直同期信号周波数は画像信号装置に搭載される表示素子のフリッカーを低減するという観点からも一般的にはある一定値（例えば７０Ｈｚ程度）より下げない。即ち、画像信号装置１の解像度数（水平解像度数×垂直解像度数）が上がると必然的に動作クロックｆｏが上がるため、プロジェクタ２は高速クロックで動作する高コストのＡ／Ｄ変換手段２５及び解像度変換手段Ｑ２７を使用せねばならなかった。しかしながら、先述したステップＳ１からステップＳ７の工程を踏襲することにより前記高速クロックで動作する高コストのＡ／Ｄ変換手段２５及び解像度変換手段Ｑ２７をプロジェクタ２に搭載する必要は無くなるため、図３に示したような従来のネットワーク機能を有するプロジェクタよりはるかに安価なプロジェクタが実現可能となる。
【００３９】
（実施の形態２）
図４は本発明におけるネットワーク機能を有するプロジェクタ投射システムの構成図である。尚、前述した実施の形態と同じ構成については同一の符号を用い、説明を省略する。
【００４０】
図４では、４はパソコンに代表される画像信号装置、１７は画像記憶手段１４に格納された任意の画像データを読み出し、その画像データを画像信号装置４内の表示素子に直線や楕円或いはビットマップやフォントの表示をさせるために必要となる２Ｄグラフィックス処理命令に代表される描画命令を出力する制御手段Ｂ、１６は制御手段Ｂ１７から出力された描画命令をプロジェクタ２から通知されたプロジェクタ２に搭載された表示パネルの解像度数の範囲内で実行し表示手段Ａ１０に出力する描画命令実行手段である。
【００４１】
以上のように構成されたネットワーク機能を有するプロジェクタ投射システムについて、図５の動作フローチャートを用いてその動作を説明する。
【００４２】
まず、任意のネットワーク網３上で画像信号装置４とプロジェクタ２を接続する（ステップＳ１）。ステップＳ１により接続された後、プロジェクタ２の制御手段Ｐ２０はプロジェクタ２に搭載された表示パネルの解像度を通信手段Ｐ２１からネットワーク網３を介して画像信号装置４に通知する（ステップＳ２）。このように、ステップＳ２により送信されたプロジェクタ２の解像度情報を受信した画像信号装置４の通信手段Ａ１５は、その情報を制御手段Ｂ１７に送信する。
【００４３】
次に、画像信号装置４上に任意の画像データを表示させるため、制御手段Ｂ１７は、画像記憶手段１４に格納された所望の画像データを読み出し、その画像データを展開する。前記画像データを展開した制御手段Ｂ１７は、描画命令実行手段１６に画像信号装置４の表示素子に任意の画像データを表示させるために描画命令を出力すると共に通信手段Ａ１５により通知されたプロジェクタ２の解像度数も描画命令実行手段１６に出力する。このような描画命令及びプロジェクタ２の解像度数情報を入力された描画命令実行手段１６は、前記プロジェクタ２の解像度数に合わせた範囲で前記描画命令を実行する（ステップＳ８）。一般的に、パソコン用のグラフィックスカードを使用して画像信号装置４上の表示素子に任意の画像データを表示させる場合、グラフィックスカードの出力解像度を変更しても画像信号装置４上に表示される画像データは最近傍補間方法等に代表される補間方法による解像度変換がかかったような周波数成分の劣化した映像とはならずに、解像度感のあるエッジの立った表示画像となるのは、このような描画命令をもとに画像データを再配置するためである。
【００４４】
ここで、ステップＳ８での動作例を示す。プロジェクタ２の表示パネルがもつ解像度がＸＧＡであり、画像信号装置４の表示素子がもつ解像度がＵＸＧＡである場合、プロジェクタ２の表示パネルがもつ解像度（ＸＧＡ）を認識した制御手段Ｂ１７は、画像信号装置４の表示素子の解像度が現在ＵＸＧＡであることより、通常の描画に対し、
水平方向：１０２４／１６００＝０．６４
垂直方向：７６８／１２００＝０．６４
と各０．６４倍に描画命令を実行するように描画命令実行手段１６を制御する。例えば、Ｃｉｒｃｌｅ命令により円を描画する場合、通常であればＵＸＧＡで半径２００画素の円を描画するケースでは、
半径２００画素×０．６４＝半径１２８画素
で円の描画を行うことにより、あたかも解像度変換を行ったことと同等の効果を得る。
【００４５】
ステップＳ８によって、プロジェクタ２の表示パネルの解像度数に合わせて描画命令を実行した描画命令実行手段１６により描画された画像データを表示手段Ａ１０に出力する。この表示手段Ａ１０に入力された前記画像データは、表示手段Ａ１０により画像信号装置４がもつ表示素子上に表示され、制御手段Ｂ１７から制御されるタイミングで画像取得手段１１により取得される（ステップＳ３）。
【００４６】
このように取得された前記画像データは、通信手段Ａ１５に出力され、ネットワーク網３を介してプロジェクタ２に内蔵された通信手段Ｐ２１へ転送され（ステップＳ５）、画像展開手段２２によりプロジェクタ２の表示パネルに表示可能となるフォーマット形式に変換される（ステップＳ６）。ステップＳ６で展開された前記画像データは、表示手段Ｐ２４に出力され、プロジェクタ２上に表示される（ステップＳ７）。
【００４７】
以上のように本実施の形態によれば、制御手段Ｂ１７により出力された描画命令をプロジェクタ２から通知されたプロジェクタ２がもつ表示パネルの解像度数の範囲内で実行する描画命令実行手段１６を備えることにより、画像信号装置４上に表示される画像データの解像度が非常に高くても、ネットワーク網３を介して転送する画像データの容量はほぼ一定となるため、ネットワーク網３のネットワーク負荷が画像信号装置４上に表示される画像データの解像度数に比例して重くなることを容易に回避可能となる。
【００４８】
更に、本実施の形態によれば、画像信号装置４上に表示される画像データの画像サイズ（解像度）とプロジェクタ２がもつ表示パネルの解像度が異なる場合には、解像度変換手段が必要となるが、前述したように描画命令実行手段１６により擬似的に解像度変換が行われるため、実施の形態１の構成に対し、より高速に解像度変換が行えるという効果を得る。
【００４９】
ここで、実施の形態１の構成に対し、本実施の形態の構成が、より高速に解像度変換が行える理由について以下示す。実施の形態１に示すような解像度変換手段Ａ１３により解像度変換を行う場合、大量の情報量（画像データの解像度数や表示される画素の色数に比例して増大するデータ量）を扱わねばならない点に対し、本実施の形態に示した構成では、描画命令実行手段１６により擬似的に解像度変換を行うため、数バイトの描画命令で瞬時に解像度変換を行った描画が実行できる。これは、一般に、解像度変換手段Ａ１３では解像度変換する方法はＣＰＵ等のソフトウェアで行うのに対し、描画命令を実行する場合はグラフィックスチップなどの専用ハードウェアで行うため、実行速度が桁違いにハードウェアの方が速いためである。また、画像取得手段１１により表示手段Ａ１０により表示された画像データを取得する際に、実施の形態１の構成の場合、画像信号装置１の表示素子に表示された画像データの解像度数が多ければ多いほど前記画像データを取得する時間を要するが、本実施の形態の構成の場合、描画命令実行手段１６により画像信号装置４上に表示される画像データは常にプロジェクタ２のもつ表示パネルの解像度数になっているため、どのような解像度数を持つ画像信号装置がプロジェクタ２と接続されても、常に画像取得手段１１は一定の画像データ取得時間で前記画像データの取得が行えるという効果を得る。
【００５０】
（実施の形態３）
図６は本発明のネットワーク機能を有するプロジェクタ投射システムの構成図である。尚、前述した実施の形態と同じ構成については同一の符号を用い、説明を省略する。
【００５１】
図６では、５はプロジェクタ、３０は前記画像展開手段２２から出力された画像データに任意の画像データを重畳する画像重畳手段、３１は前記画像展開手段２２から出力された画像データを一旦格納すると共に画像重畳手段３０により重畳する任意の画像データを格納し画像重畳手段３０によりアクセスされる記憶素子Ｒ、３２は画像重畳手段３０により重畳される画像データの重畳方法を画像重畳手段３０に対して制御する制御手段Ｒである。
【００５２】
以上のように構成されたネットワーク機能を有するプロジェクタ投射システムについて、図７の動作フローチャートを用いてその動作を説明する。
【００５３】
まず、任意のネットワーク網３上で画像信号装置１とプロジェクタ５を接続する（ステップＳ１）。ステップＳ１により接続された後、プロジェクタ５の制御手段Ｒ３２はプロジェクタ５に搭載された表示パネルの解像度を通信手段Ｐ２１からネットワーク網３を介して画像信号装置１に通知する（ステップＳ２）。このように、ステップＳ２により送信されたプロジェクタ５の解像度情報を受信した画像信号装置１の通信手段Ａ１５は、その情報を制御手段Ａ１２に送信する。
【００５４】
画像信号装置１の通信手段Ａ１５からプロジェクタ５の表示パネルが持つ解像度数を把握した画像信号装置１の制御手段Ａ１２は、画像信号装置１のもつ表示素子の解像度数との比較を行い、画像信号装置１で行う解像度変換手段Ａ１３で解像度変換が対応可能か否かを判断する（ステップＳ９）。
【００５５】
ここで、ステップＳ９での動作例を示す。プロジェクタ５の表示パネルがもつ解像度がＸＧＡ（１０２４画素×７６８画素）であり、画像信号装置１の表示素子がもつ解像度がＵＸＧＡ（１６００画素×１２００画素）である場合、各々の機器が持つ表示素子のアスペクト比（各機器に表示される画像データの縦横比）は、
プロジェクタ５・・・１０２４：７６８＝４：３
画像信号装置１・・・１６００：１２００＝４：３
と共に４：３と同一である。このようにアスペクト比が同一の場合は、画像信号装置１では解像度変換を行う前に真円だった図形は、解像度変換を行った後も真円の図形となるため、プロジェクタ５から投射される画像信号装置１により解像度変換を行われた後の図形を見た視聴者は何の違和感も無い。即ち、ステップＳ９では、プロジェクタ５の表示パネルがもつアスペクト比と画像信号装置１の表示素子がもつアスペクト比が同一である場合は、図７では“ＹＥＳ”と判断される。一方、プロジェクタ５の表示パネルがもつ解像度がＸＧＡであり、画像信号装置１の表示素子がもつ解像度がＳＸＧＡ（１２８０画素×１０２４画素）である場合、各々の機器が持つ表示素子のアスペクト比は、
プロジェクタ５・・・１０２４：７６８＝４：３
画像信号装置１・・・１２８０：１０２４＝５：４
と異なる。このようにアスペクト比が異なる場合は、画像信号装置１では解像度変換を行う前に真円だった図形は、解像度変換を行った後は楕円（本例の場合は横長の楕円）となるため、プロジェクタ５から投射される画像信号装置１により解像度変換を行われた後の図形を見た視聴者は違和感を感じる。即ち、ステップＳ９では、プロジェクタ５の表示パネルがもつアスペクト比と画像信号装置１の表示素子がもつアスペクト比が異なる場合は、図７では“ＮＯ”と判断される。このようにステップＳ９では“ＮＯ”と判断した場合、画像信号装置１が対応可能なアスペクト比の情報をネットワーク網３を介してプロジェクタ５に通知する（ステップＳ１０）。
【００５６】
ステップＳ９によりアスペクト比の判断を行った画像信号装置１は、表示手段Ａ１０により画像信号装置１がもつ表示素子上に表示された所望の画像データを画像取得手段１１により取得し（ステップＳ３）、解像度変換手段Ａ１３により前記ステップＳ３で取得された画像データを所定の解像度数に変換する（ステップＳ４）。
【００５７】
ここで、ステップＳ４の動作例について説明する。プロジェクタ５の表示パネルがもつ解像度がＸＧＡであり、画像信号装置１の表示素子がもつ解像度がＵＸＧＡである場合、各々の機器が持つ表示素子のアスペクト比は前述したように同一であるため、解像度変換手段Ａ１３から出力される画像データの解像度数は、ステップＳ３で取得された画像データに対し、
１０２４画素／１６００画素＝７６８画素／１２００画素＝０．６４
水平方向及び垂直方向の画素を各々０．６４倍し、プロジェクタ５に搭載された表示パネルのもつ解像度と同一の１０２４画素×７６８画素の画像データとなる。一方、プロジェクタ５の表示パネルがもつ解像度がＸＧＡであり、画像信号装置１の表示素子がもつ解像度がＳＸＧＡである場合、各々の機器が持つ表示素子のアスペクト比は前述したように異なる。そこで、解像度変換手段Ａ１３は、水平方向及び垂直方向の縮小比率を比較する。
【００５８】
水平方向：１０２４／１２８０＝０．８
垂直方向：７６８／１０２４＝０．７５
本例の場合は、垂直方向の縮小比率が大きいため、解像度変換手段Ａ１３では、各々０．７５倍の縮小を行う。これより、解像度変換手段Ａ１３から出力される画像データの解像度数は、下記のようになる。
【００５９】
水平方向：１２８０×０．７５＝９６０画素
垂直方向：１０２４×０．７５＝７６８画素
ここで、縮小比率が大きい方を採用するのは、画像信号装置１上に表示される画像データの情報が欠落しないようにするためである。仮に、上述の例では、縮小率として０．８を採用した場合、解像度変換手段Ａ１３から出力される画像データの解像度数は、
水平方向：１２８０×０．８＝１０２４画素
垂直方向：１０２４×０．８＝８１９．２画素
となり、プロジェクタ５の表示パネルが持つ垂直方向の解像度数７６８画素を約５２画素オーバーする。即ち、垂直方向に５２画素分の画素データが欠落することになり好ましくない。
【００６０】
このように、ステップＳ４で解像度変換手段Ａ１３では解像度変換された画像データのアスペクト比は画像信号装置１上に表示された画像データのアスペクト比を保ったままとなる。解像度変換された前記画像データは、通信手段Ａ１５に出力され、ネットワーク網３を介してプロジェクタ５の通信手段Ｐ２１へ転送され（ステップＳ５）、画像展開手段２２によりプロジェクタ５の表示パネルに表示可能となるフォーマット形式に変換される（ステップＳ６）。
【００６１】
ステップＳ６により展開された前記画像データは画像重畳手段３０に転送され、一旦、記憶素子Ｒ３１に格納される。ここで、制御手段Ｒ３２は前記ステップＳ１０により画像信号装置１からネットワーク網３を介して通信手段Ｐ２１より取得したアスペクト比情報をもとに画像重畳手段３０では所定の画像データを重畳するか否かを判断する（ステップＳ１１）。
【００６２】
ここで、ステップＳ１１での動作例を示す。プロジェクタ５の表示パネルがもつアスペクト比と画像信号装置１の表示素子がもつアスペクト比が同一である場合、プロジェクタ５に画像信号装置１から転送される画像データの解像度数はプロジェクタ５の表示パネルがもつ解像度数と同一であるため、画像展開手段２２から出力された画像データに任意の画像データを重畳する必要はない。即ち、図７のステップＳ１１では、“ＮＯ”と判断し、前記画像データをそのまま表示手段Ｐ２４に出力する。一方、プロジェクタ５の表示パネルがもつ解像度がＸＧＡであり、画像信号装置１の表示素子がもつ解像度がＳＸＧＡである場合、先述したように各々の機器が持つ表示素子のアスペクト比は異なり、プロジェクタ５に画像信号装置１から転送される画像データの解像度数は、先述したように９６０画素×７６８画素となり、プロジェクタ５の表示パネルがもつ解像度数（１０２４画素×７６８画素）と異なる。このように画像信号装置１からプロジェクタ５に転送された画像データの解像度数が異なる場合、そのままプロジェクタ５に搭載された表示パネルに前記転送された画像データを表示させると、本例の場合、水平方向に、
１０２４画素−９６０画素＝６４画素
の不定のデータが出力され好ましくない。そこで、プロジェクタ５の表示パネルがもつアスペクト比と画像信号装置１の表示素子がもつアスペクト比が異なる場合、制御手段Ｒ３２は図７のステップＳ１１では、“ＹＥＳ”と判断する。そして、画像重畳手段３０では所定の画像データを前記ステップＳ６により展開された画像データに重畳する（ステップＳ１２）。
【００６３】
ステップＳ１２の動作について図８を用いて説明する。先述の例に示すようにプロジェクタ５のもつ表示パネルがＸＧＡサイズの時には、画像信号装置１から９６０画素×７６８画素の画像データが転送された場合、制御手段Ｒ３２は双方の画像サイズをまず比較する。
【００６４】
水平方向：１０２４画素−９６０画素＝６４画素
垂直方向：７６８画素−７６８画素＝０画素
これより、水平方向に６４画素の画像データを重畳する必要があることを制御手段Ｒ３２が判断し、図８に示すように左右に６４画素／２＝３２画素ずつの黒色画像を挿入する。ここで、水平方向の不足画素数（６４画素）を左右に分割して挿入するのは、プロジェクタ５から投射される画像領域内の中央に画像データを配置するためである。また、黒色画像を挿入するのは、挿入された画像データを目立たせないためであるが、任意の色データでも同様の効果を得る。近年のプロジェクタ（例えばエプソン製ＥＭＰ−８３５）では、壁色補正機能といったプロジェクタ５から投射される任意の画像データが映し出されるスクリーン或いは壁の色を検出してプロジェクタ５から投射される画像データの色を補正する機能があるが、このような機能により検出されたスクリーン或いは壁の色を記憶素子Ｒ３１に格納し、前記ステップＳ１２によりその格納された前記壁色補正機能により検出された画像データを図８に示す黒色の代わりとして重畳してもよい。以上のようにして画像重畳手段３０から出力された画像データは画像表示手段Ｐ２４に転送され、プロジェクタ５から所望の画像が投射される（ステップＳ７）。
【００６５】
以上のように本実施の形態によれば、画像信号装置１がもつ表示素子のアスペクト比とプロジェクタ５に搭載された表示パネルがもつアスペクト比が異なる場合には、画像展開手段２２から出力された画像データに任意の画像データを重畳し表示手段Ｐにその重畳した画像データを出力する画像重畳手段３０を備えることにより、プロジェクタ５側から投射される画像データのアスペクト比を画像信号装置１上に表示された画像データのアスペクト比に合わせることが可能となるという効果を有する。
【００６６】
（実施の形態４）
図９は本発明のネットワーク機能を有するプロジェクタ投射システムの構成図である。尚、前述した実施の形態と同じ構成については同一の符号を用い、説明を省略する。
【００６７】
図９では、６はプロジェクタ、３３はプロジェクタ６が現在設置されている仰角を検出する角度センサに代表される仰角検出手段、３４は前記仰角検出手段３３により検出された仰角を受信し前記ネットワーク網３を介して前記画像信号装置１に前記仰角の情報を通知する制御手段Ｔである。
【００６８】
以上のように構成されたネットワーク機能を有するプロジェクタ投射システムの動作について、図１０及び図１１を用いて説明する。
【００６９】
一般に、プロジェクタ６が設置された位置に対し、プロジェクタ６から投射される画像データを映し出すスクリーンの位置が高い場合、図１０に示すような義足３５をプロジェクタ６から出してスクリーン７の中央に前記プロジェクタ６から投射される画像データを映し出すように設置調整を行う。この場合、スクリーン７の持つスクリーン面に対して斜めにプロジェクタ６から画像データを投射するため、スクリーン７に投射される画像データの領域は図１１に示すようにスクリーン７上で矩形とはならずに幾何学的な歪みが生じる。この歪みは特開２００２−１０８３２２号公報の段落番号「００２７」に記載があるように、プロジェクタ６が設置されている設置台８とプロジェクタ６との仰角φの関数として表される。
【００７０】
前記仰角φはプロジェクタ６に内蔵された仰角検出手段３３により自動的に計測が可能となる。仰角検出手段３３として、例えば、ＭＥＭＳＩＣ社製ＭＸＤ２０２０ＥというＬＳＩが知られている。このＬＳＩは内蔵された重力加速度センサによって、設置台８に対してプロジェクタ６が水平に設置されている（ＬＳＩのどの位置でも重力加速度は一致）時は、デューティー比５０％のパルスをＬＳＩから出力し、本ＬＳＩが傾くにつれて（ＬＳＩの位置により重力加速度が異なり、その差により角度を算出可能）、デューティー比が比例して大きくなるという特性を持つ。例えば、３０度傾いたときはデューティー比６０％のパルスを出力する。このような特性を持つ仰角検出手段３３をプロジェクタ６が設置台８に設置される面に対して平行な面にプロジェクタ６内で配置することにより、図１０中に示す仰角φを検出可能となる。
【００７１】
このように仰角検出手段３３から出力されるパルスを制御手段Ｔ３４に入力し、制御手段Ｔ３４に入力されたパルスのデューティー比を制御手段Ｔ３４が計測することにより、プロジェクタ６が設置台８に対して仰角φが何度の状態で設置しているのかを把握可能となる。この仰角φの情報をプロジェクタ６からネットワーク網３を経由して画像信号装置１に転送する。画像信号装置１は、その仰角φの情報に基づき、図１１に示したような幾何学的歪みを補正するように前記解像度変換手段Ａ１３では画像データの変換を行う。この幾何学的歪みを補正する方法の一例として、特開２００２−１０８３２２号公報の段落番号「００２４」に記載がある。この方法も一種の解像度変換であるため、解像度変換手段Ａ１３が有する構成で実現可能となる。
【００７２】
以上のように本実施の形態によれば、仰角検出手段３３を備え、その仰角検出手段３３により検出されたプロジェクタ６の仰角φを画像信号装置１にネットワーク網３を介して通知し、画像信号装置１からプロジェクタ６へ転送される画像データはプロジェクタ６から投射される画像の歪みを無くすように解像度変換が画像信号装置１内で行う手段を備えたことにより、画像信号装置１上に表示される画像データの画像サイズ（解像度）とプロジェクタ６に搭載された表示パネルの解像度が異なる場合にも、解像度変換手段をプロジェクタ６側に必要とせずに低コストでネットワーク機能を有するプロジェクタ投射システムを提供すると共に、プロジェクタ６から投射される画像データの幾何学的歪みを自動的に解消する効果を有する。
【００７３】
（実施の形態５）
図１２は本発明のネットワーク機能を有するプロジェクタ投射システムの構成図である。尚、前述した実施の形態と同じ構成については同一の符号を用い、説明を省略する。
【００７４】
図１２では、３６はプロジェクタ２がネットワーク網３に接続するに必要な最低限の構成要素である制御手段Ｕ３８及び通信手段Ｐ２１にのみ電源を供給する電源供給手段Ａ、３７は電源供給手段Ａが供給しないプロジェクタ２内の構成要素に電源を供給する電源供給手段Ｂ、３８は電源供給手段Ｂ３７に対して前記電源供給手段Ａ３６が供給しないプロジェクタ２内の構成要素に電源を供給或いは遮断制御する制御手段Ｕである。
【００７５】
以上のように構成されたネットワーク機能を有するプロジェクタ投射システムについて、図１３の動作フローチャートを用いてその動作を説明する。
【００７６】
まず、任意のネットワーク網３上で画像信号装置１とプロジェクタ２を接続する（ステップＳ１）。このステップＳ１の動作は、プロジェクタ２は電源供給手段Ａ３６により常に通信手段Ｐ２１及びこの通信手段Ｐ２１を制御する制御手段Ｕ３８に対して電源が供給されているため、プロジェクタ２がいかなる状態にも実行可能である。
【００７７】
ステップＳ１により接続された後、プロジェクタ２の制御手段Ｕ３８は電源供給手段Ｂ３７に対して前記電源供給手段Ａ３６が供給しないプロジェクタ２内の構成要素に電源を供給しているか否かを判断する（ステップＳ１３）。ステップＳ１３では、電源供給手段Ｂ３７が前記電源供給手段Ａ３６が供給しないプロジェクタ２内の構成要素に電源を供給している場合は、図１３では、ステップＳ１３は“ＹＥＳ”と判断され、実施の形態１で示したようなステップを実行することにより所望の画像データをプロジェクタ２から投射することが可能となる。
【００７８】
一方、ステップＳ１３では、電源供給手段Ｂ３７は前記電源供給手段Ａ３６が供給しないプロジェクタ２内の構成要素に電源を供給していない場合、図１３ではステップＳ１３は“ＮＯ”と判断する。この場合、制御手段Ｕ３８は、通信手段Ｐ２１を制御してネットワーク網３を介して画像信号装置１に対し、通信停止を行うことを通知する（ステップＳ１４）。その後、制御手段Ｕ３８は電源供給手段Ｂ３７に対し前記電源供給手段Ａ３６が供給しないプロジェクタ２内の構成要素に電源を供給するように制御する（ステップＳ１５）。ステップＳ１５により前記各構成要素に所望の電源が供給された後、制御手段Ｕ３８は、通信手段Ｐ２１を制御してネットワーク網３を介して画像信号装置１に対し、通信再開を行うことを通知する（ステップＳ１６）。このステップＳ１６により再び画像信号装置１とプロジェクタ２はネットワーク網３を介して接続され、その後、実施の形態１で示したようなステップを実行することにより所望の画像データをプロジェクタ２から投射することが可能となる。
【００７９】
ここで、ステップＳ１３では、電源供給手段Ｂ３７は前記電源供給手段Ａ３６が供給しないプロジェクタ２内の構成要素に電源を供給していない場合に“ＮＯ”と判断し、そのままステップＳ１４を実行せず、直ちにステップＳ１５を実行した場合、表示手段Ｐ２４に含まれるランプを点灯するための点灯制御手段（以下、バラストと称する）から発生される２ｋＶ程度の高電圧パルスから誘発されるノイズにより、通信手段Ｐ２１が誤動作する可能性がある。液晶プロジェクタやＤＬＰプロジェクタは、搭載された表示パネルは前記ランプから発光された光を照射することにより、前記表示パネル上に書き込まれた任意の画像データを拡大投射する機器であるため、前記バラストは必ず内蔵されている。通信手段Ｐ２１は一般的に３．３Ｖ程度の電源で動作するのに対し、前記バラストにより前記ランプを点灯する際に出力される高電圧パルスは２ｋＶと桁違いに大電圧であるため、共通のグランド（０Ｖ）ラインを通じて、前記バラストから前記通信手段Ｐ２１に、前記高電圧パルスにより発生した数十Ｖのノイズが伝達され、このノイズにより通信手段Ｐ２１が誤動作を行う可能性がある。尚、前記バラストから発生される高電圧パルスは、ランプ点灯時のみ発生し前記ランプ点灯後は発生しない。このように前記バラストから誘発されるノイズにより通信手段Ｐ２１が誤動作を行った場合、ネットワーク網３により接続された画像信号源１が、ステップＳ２により受信するプロジェクタ２の表示パネルが持つ解像度数を誤って取得する可能性がある。そこで、ステップＳ１４からステップＳ１６を行うことにより、確実に画像信号装置１に対してプロジェクタ２のもつ表示パネルの解像度数を通知することが可能となる。また、前記バラストから発生される高電圧パルスの発生時間を事前に不揮発性の記憶素子に格納しておくことにより、制御手段Ｕ３８はステップＳ１６を実行することが可能となる。
【００８０】
以上のように本実施の形態によれば、電源供給手段Ｂ３７が所定の構成要素に対して電源供給を行う前に画像信号装置１とプロジェクタ２がネットワーク網３を介して接続された時、画像信号装置１に対して通信停止を通信手段Ｐ２１を介して通知した後に電源供給手段Ｂ３７に対してプロジェクタ２内の所定の構成要素に対して電源供給するように制御手段Ｕ３８が制御を行い、プロジェクタ２内の所定の構成要素に安定して電源供給が行われた後に画像信号装置１に対して通信再開を通信手段Ｐ２１を介して通知する手段を備えたことにより、画像信号装置１上に表示される画像データの画像サイズ（解像度）とプロジェクタ２に内蔵される表示パネルの解像度が異なる場合にも、解像度変換手段をプロジェクタ２側に必要とせずに低コストでネットワーク機能を有するプロジェクタ投射システムを提供すると共に、画像信号装置１とプロジェクタ２間の通信では、電源供給手段Ｂ３７から電源供給をする際に発生する高電圧パルスから誘発されるノイズの影響により生じる通信の誤動作を防ぐ効果を有する。
【産業上の利用可能性】
【００８１】
本発明にかかるネットワーク機能を有するプロジェクタ投射システムは、パソコンに代表される画像信号装置と、前記画像信号装置と任意のネットワーク網で接続されたプロジェクタとからなるネットワーク機能を有するプロジェクタ投射システムでは、前記画像信号装置上に表示される画像データの画像サイズ（解像度）と前記プロジェクタに搭載される表示パネルの解像度が異なる場合にも、解像度変換手段を前記プロジェクタ側に必要とせずに低コストでネットワーク機能を有するプロジェクタ投射システムを提供するという効果を有し、液晶プロジェクタやＤＬＰプロジェクタに代表される固定画素のパネルを有する投射型画像表示装置とパソコンに代表される画像信号装置を任意のネットワーク網により接続したネットワーク機能を有するプロジェクタ投射システムとして有用である。
【図面の簡単な説明】
【００８２】
【図１】本発明の実施の形態１におけるネットワーク機能を有するプロジェクタ投射システムの構成図
【図２】同実施の形態１におけるネットワーク機能を有するプロジェクタ投射システムの動作説明図
【図３】従来のネットワーク機能を有するプロジェクタの構成図
【図４】本発明の実施の形態２におけるネットワーク機能を有するプロジェクタ投射システムの構成図
【図５】同実施の形態２におけるネットワーク機能を有するプロジェクタ投射システムの動作説明図
【図６】本発明の実施の形態３におけるネットワーク機能を有するプロジェクタ投射システムの構成図
【図７】同実施の形態３におけるネットワーク機能を有するプロジェクタ投射システムの動作説明図
【図８】同実施の形態３におけるプロジェクタからスクリーンに投射する投射画像の一例を示す図
【図９】本発明の実施の形態４におけるネットワーク機能を有するプロジェクタ投射システムの構成図
【図１０】同実施の形態４におけるプロジェクタとスクリーンとの設置位置関係の説明図
【図１１】同実施の形態４におけるプロジェクタからスクリーンに投射する投射画像の一例を示す図
【図１２】本発明の実施の形態５におけるネットワーク機能を有するプロジェクタ投射システムの構成図
【図１３】同実施の形態５におけるネットワーク機能を有するプロジェクタ投射システムの動作説明図
【図１４】従来におけるネットワーク機能を有するプロジェクタ投射システムの構成図
【図１５】従来におけるネットワーク機能を有するプロジェクタ投射システムの動作説明図
【符号の説明】
【００８３】
１，４，１００  画像信号装置
２，５，６，２００  プロジェクタ
３，３００  任意のネットワーク網
７  スクリーン
８  プロジェクタを設置するための設置台
１０  画像信号源上に任意の画像データを表示する表示手段
１１  表示手段により表示された画像データを取得する画像取得手段
１２，１７  制御手段
１３  解像度変換手段
１４  画像記憶手段
１５  通信手段
１６  描画命令実行手段
２０，２８，３２，３４，３８  制御手段
２１，２６  通信手段
２２  画像展開手段
２３，３１  記憶素子
２４  プロジェクタ上に任意の画像データを拡大投射する表示手段
２５  Ａ／Ｄ変換手段
２７  解像度変換手段
２９  画像信号装置から出力されるアナログ映像信号に代表される外部画像信号
３０  画像重畳手段
３３  仰角検出手段
３５  プロジェクタをスクリーン面に対して斜め投射可能とするための義足
３６，３７  電源供給手段
４００  画像補正装置
４０１  通信手段
４０２  画像処理手段
４０３  記憶素子
４０４  画像出力手段
４０５  制御手段
４０６  外部操作信号
５００  スクリーン
【図１】
2006106158.tif 000003
【図２】
2006106158.tif 000004
【図３】
2006106158.tif 000005
【図４】
2006106158.tif 000006
【図５】
2006106158.tif 000007
【図６】
2006106158.tif 000008
【図７】
2006106158.tif 000009
【図８】
2006106158.tif 000010
【図９】
2006106158.tif 000011
【図１０】
2006106158.tif 000012
【図１１】
2006106158.tif 000013
【図１２】
2006106158.tif 000014
【図１３】
2006106158.tif 000015
【図１４】
2006106158.tif 000016
【図１５】
2006106158.tif 000017